(57)【要約】【課題】  簡単かつ安価な構成でありながら、バンドの締付力を容易かつ正確に管理することが可能でユーザーフレンドリーなクランプ装置を提供する。【解決手段】  本発明は、ストラップバンド３と、当該バンド３の一端側に取り付けられバンド３の他端側の外周に備えられたラック４と螺合される螺子要素５を回転自在に支持する支持部６と、を備え、螺子要素５を巻き締め方向に回転させ、螺子要素５と螺合するラック４を螺進させてバンド３を巻き締めるクランプ装置１であって、バンド３の締付力が所定以上となったときに、螺子要素５への反力により、螺子要素５の基端側を揺動中心として螺子要素５の先端側が揺動されるように基端部６３が変形されて、螺子要素５とラック４との螺合が解放されると共に、その後、螺子要素５の基端側を揺動中心として螺子要素５の先端側が揺動され、螺子要素５とラック４とが螺合されるように、支持部６３の変形が復元される。【選択図】図３
2010121647.tif 000002
【特許請求の範囲】
【請求項１】
ストラップバンドと、
当該ストラップバンドの一端側に取り付けられ、当該ストラップバンドの他端側の外周に備えられたラックと螺合される螺子要素を回転自在に支持する支持部と、
を備え、
前記螺子要素を巻き締め方向に回転させ、当該螺子要素と螺合するラックを螺進させることにより、前記ストラップバンドを巻き締めるようにしたストラップバンドのクランプ装置であって、
前記ストラップバンドの締付力が所定以上となったときに、前記螺子要素への反力により、当該螺子要素の基端側を揺動中心として該螺子要素の先端側が揺動されるように、当該螺子要素の基端側を回転自在に支持する支持部が変形されて、前記螺子要素のねじ山とラックとの螺合が解放されると共に、
その後において、前記螺子要素の基端側を揺動中心として該螺子要素の先端側が揺動され、前記螺子要素のねじ山とラックとが螺合されるように、前記支持部の変形が復元されるように構成されたことを特徴とするストラップバンドのクランプ装置。
【請求項２】
前記支持部は、前記螺子要素を回転自在に支持しつつ収容する上側部材と、当該支持部を前記ストラップバンドと連結する下側部材と、前記螺子要素の基端側を回転自在に支持しつつ前記上側部材と前記下側部材とを接続する接続部材と、を含んで構成されたことを特徴とする請求項１に記載のストラップバンドのクランプ装置。
【請求項３】
前記支持部の変形は、前記接続部材の変形であり、前記支持部の変形の復元は、前記接続部材の持つ復元力に基づくことを特徴とする請求項２に記載のストラップバンドのクランプ装置。
【発明の詳細な説明】
【技術分野】
【０００１】
本発明は、ストラップバンドのクランプ装置に関する。より詳しくは、流体が流れるパイプ等に接続されるホースを前記パイプ等に対して締結するために前記ホースの外周に巻き回して用いられるストラップバンドのクランプ（ストラップバンドクランプ）装置に関する。
【背景技術】
【０００２】
この種のストラップバンドクランプ装置として、例えば、特許文献１に記載されているようなものがある。
【０００３】
このものは、流体通路の一部を形成するホースをパイプ等の端部の外周に対して締め付けるストラップバンドのクランプ装置であって、一方の端部にラック（ギア溝）を形成したベルト部と、該ベルト部の他方の端部に設けたハウジング部と、該ハウジング部内に回転可能に貫通保持され、ホース等のまわりに巻き回した上記ベルト部の一方の端部のラック（ギア溝）と螺合し、上記一方の端部を螺進せしめるウォームスクリュウを備えて構成されている。
【０００４】
また、特許文献２に記載されたストラップバンドのクランプ装置は、ホースへの傷付き防止を図るため、ウォームスクリュウが噛合する傾斜溝の形成部分を径方向に盛上げてホース取付面から離間させている。
【０００５】
これにより、バンドとホースとの接触部分での最大面圧を抑えて、バンドがウォームスクリュウにより傾斜溝（ギア溝）の形成部分でホースに食い込まないようにしている。
【０００６】
特許文献３に記載されたストラップバンドのクランプ装置は、ウォームスクリュウと螺合するギア溝を外側バンドに打抜きにより形成した場合、溝幅が広くなると、巻締め時にバンドが切れ易くなることを考慮している。
【０００７】
すなわち、打抜きに代わって、鍛造加工の一種である圧引加工や押出し加工などのハーフカット加工によりギア溝を打込み形成している。これにより、ウォームスクリュウがギア溝に噛合する部分の断面積を大きくし、バンドが大きな締付力を受けても容易には切れないようにしている。
【０００８】
更に、特許文献４に記載されるストラップバンドのクランプ装置は、各種のばね部材を用いて、ストラップに付勢力を加えるバイアス装置として蓄圧構造が設けられている。この構造では、ストラップの締付後に低下する締付力をばね部材により補って、その低下を最小限に止めている。
【０００９】
【特許文献１】特開２００７−５６９２７号公報
【特許文献２】実公平６−２３８２２号公報
【特許文献３】特開昭６１−２４４９０６号公報
【特許文献４】特公平７−２６７１１号公報
【発明の開示】
【発明が解決しようとする課題】
【００１０】
ここにおいて、特許文献１から特許文献４に記載されているように、従来より、種々のストラップバンドのクランプ装置が提案されているが、これら従来のストラップバンドのクランプ装置の何れを取り付ける場合でも、その際には、パイプの外周にホースを挿入し、その上からストラップバンド部分を巻き回す状態として、かかる状態でウォームスクリュウを締め付け方向に回動し、これと螺合するギア溝（ラック）延いては当該ギア溝と一体のストラップバンドを締め付け方向に螺進させてバンド径を縮小することで所定の締付力を発生させ、これによりパイプに対してホースを所定の密着性（例えば、気密性、水密性など）をもって締結するようになっている。
【００１１】
かかる場合において、パイプに対するホースの所定の密着性を良好に達成するためには、前記ウォームスクリュウの締付トルクの管理が重要となるため、従来は、所定の密着性を達成し得る締付トルクとなるように、前記ウォームスクリュウの締付トルクをトルクレンチ等のトルク管理工具により管理するのが実情であった。
【００１２】
すなわち、前記ウォームスクリュウの締付トルクをトルクレンチ等のトルク管理工具により管理しない場合には、締付力が不足するような事態が生じる場合があり、かかる場合には、例えば、内部の流体が漏洩したり、パイプ内圧等の影響でホースがパイプから抜け落ちるなどのトラブルが発生する惧れがある一方で、締付力が過剰となるような事態が生じた場合には、ウォームスクリュウやラック（ギア溝）のネジ山が破損したり、バンドが伸びたり破断したり、パイプが変形したり破損してしまうなどのトラブルが発生する惧れがある。
【００１３】
しかしながら、工場出荷後などにおいては、トルクレンチ等のトルク管理工具を備えない者が整備することなども想定されるため、このような場合には、ウォームスクリュウの締付トルクを正確に管理することは難しく、上述したようなトラブルを招いてしまう惧れがある。
【００１４】
また、バンドクランプが配設される場所によっては、入手容易なトルクレンチ等が使えず、専用のトルクレンチ等が必要になるなど、ウォームスクリュウの締付トルクを正確に管理することは、使用者等にとって不便となる惧れがある。
【００１５】
本発明は、かかる実情に鑑みなされたものであって、簡単かつ安価な構成でありながら、螺子要素（例えばウォームスクリュウなど）の締付トルク延いてはストラップバンドの締付力を容易かつ正確に管理することが可能でユーザーフレンドリーなストラップバンドのクランプ装置を提供することを目的とする。
【課題を解決するための手段】
【００１６】
このため、本発明に係るストラップバンドのクランプ装置は、
ストラップバンドと、
当該ストラップバンドの一端側に取り付けられ、当該ストラップバンドの他端側の外周に備えられたラックと螺合される螺子要素を回転自在に支持する支持部と、
を備え、
前記螺子要素を巻き締め方向に回転させ、当該螺子要素と螺合するラックを螺進させることにより、前記ストラップバンドを巻き締めるようにしたストラップバンドのクランプ装置であって、
前記ストラップバンドの締付力が所定以上となったときに、前記螺子要素への反力により、当該螺子要素の基端側を揺動中心として該螺子要素の先端側が揺動されるように、当該螺子要素の基端側を回転自在に支持する支持部が変形されて、前記螺子要素のねじ山とラックとの螺合が解放されると共に、
その後において、前記螺子要素の基端側を揺動中心として該螺子要素の先端側が揺動され、前記螺子要素のねじ山とラックとが螺合されるように、前記支持部の変形が復元されるように構成されたことを特徴とする。
【００１７】
本発明において、前記支持部は、前記螺子要素を回転自在に支持しつつ収容する上側部材と、当該支持部を前記ストラップバンドと連結する下側部材と、前記螺子要素の基端側を回転自在に支持しつつ前記上側部材と前記下側部材とを接続する接続部材と、を含んで構成されたことを特徴とすることができる。
【００１８】
本発明において、前記支持部の変形は、前記接続部材の変形であり、前記支持部の変形の復元は、前記接続部材の持つ復元力に基づくことを特徴とすることができる。
【発明の効果】
【００１９】
本発明によれば、簡単かつ安価な構成でありながら、螺子要素（例えばウォームスクリュウなど）の締付トルク延いてはストラップバンドの締付力を容易かつ正確に管理することが可能でユーザーフレンドリーなストラップバンドのクランプ装置を提供することができる。
【発明を実施するための最良の形態】
【００２０】
以下、本発明に係る一実施の形態を、添付の図面を参照しつつ説明する。なお、以下で説明する実施の形態により、本発明が限定されるものではない。
【００２１】
図１〜図３は、本発明の一実施の形態に係るストラップバンドクランプ装置１を示している。
図１に示すように、本実施の形態に係るストラップバンドクランプ装置１は、例えば、気体、液体等の流体が流れる例えば金属製、樹脂製のパイプ部材（図示せず）の端部の外周に嵌挿され、一連の流体通路を形成する例えば可撓性のある樹脂製のホース部材２の外周（前記パイプ部材（図示せず）の端部と、これの外周に嵌挿されたホース部材（図示せず）と、の畳重部分）を巻き締めるストラップバンド３と、このストラップバンド３の少なくとも外周に設けられるギア溝（ラック；ｒａｃｋ）４と螺合（噛合）する螺子要素としてのウォームスクリュウ（ピニオン；ｐｉｎｉｏｎ）５と、当該ウォームスクリュウ５を回転自在に収容するハウジング６と、を含んで構成されている。
【００２２】
前記ストラップバンド３は、例えばＳＵＳ３０４系のステンレス鋼板等の弾性体により所定の幅寸法を有する有端円環状に形成されている。
【００２３】
前記ハウジング６は、例えばプレス加工等により、図２に示すような筒状に成形されており、当該ハウジング６の下部には、囲繞片として延出させた連結片部６ａ、６ｂが突き合わされるように設けられている。
【００２４】
当該ハウジング６の内部には、ストラップバンド３の周方向に沿ってウォームスクリュウ５が回転可能に収容されており、ストラップバンド３の一端部３Ａは、当該ハウジング６の下側に設けられている連結片部６ａ、６ｂで囲まれ、連結片部６ａ、６ｂ同士は、これらの突合せ部６ＡでＴＩＧ溶接などにより連結固定されている。
【００２５】
また、連結片部６ａ、６ｂとストラップバンド３の一端部３Ａとは、スポット溶接やプロジェクション溶接などにより固定されている。
【００２６】
ストラップバンド３の他端部３Ｂは、一端部３Ａの上に重なるようにしてハウジング６内に収容されている。
【００２７】
ストラップバンド３には、所定のピッチで周方向に等間隔に形成された複数のラック（ギア溝）４が設けられている。
【００２８】
この一方で、ハウジング６内のウォームスクリュウ５には、所定のリードでねじ山５ｓが形成されており、そのねじ山５ｓは前記ラック（ギア溝）４に噛合されている。
【００２９】
なお、図３に示すように、ストラップバンド３の一端部３Ａには、径方向に膨出する膨出部３Ｃが形成されており、当該膨出部３Ｃの裏側に連結片部６ａ、６ｂの突合せ部６Ａが収容され、これにより、突合せ部６Ａがストラップバンド３の内周面部と略面一とされつつ、ストラップバンド３と、ハウジング６と、が略一体化されている。
【００３０】
かかる構成によれば、図１に示したように、ウォームスクリュウ５を締め付け方向Ａに回転させると、ウォームスクリュウ５のねじ山５ｓが、これと噛合（螺合）するギア溝４を螺進せしめ、ウォームスクリュウ５がギア溝４を介してストラップバンド３の他端部３Ｂを矢印Ｂ方向に引っ張ることとなり、ストラップバンド３が縮径変位を受けて所定の締付力でホース部材２を締め付けることになる。
【００３１】
ここで、従来は、当該ウォームスクリュウ５の締付トルクを管理することで、前記ストラップバンド３のホース部材２への締付度合いを管理していたが、本実施の形態では、以下のような構成を採用し、面倒なウォームスクリュウ５の締付トルクの管理を不要としている。
【００３２】
すなわち、本実施の形態では、図１、図２に示したように、ハウジング６には、ウォームスクリュウ５の軸方向に沿ってスリット１０が設けられている。
【００３３】
このスリット１０は、ウォームスクリュウ５の先端側において開放され、基端側においてはハウジング６の基端部６３により閉じられている。従って、ハウジング６は、スリット１０により、上側部材６１と、下側部材６２と、に別けられ、上側部材６１と、下側部材６２と、は、基端部６３により接続された構成となっている。なお、基端部６３が、本発明に係る支持部の少なくとも一部を構成し、本発明に係る支持部材の接続部材に相当する。
【００３４】
そして、ウォームスクリュウ５は基端部６３及び上側部材６１に支持されており、上側部材６１とウォームスクリュウ５は、基端部６３に支持されつつ、その先端側がＣ方向に揺動可能となっている。なお、基端部６３は、例えばバネ鋼等により形成され、所定の復元力（弾性力）が付与されて構成されている。また、基端部６３は、上側部材６１と下側部材６２と一体成形可能であるし、別体で形成してから一体化することもでき、かかる場合にはそれぞれ適宜の材料で形成することができる。
【００３５】
従って、図３において、Ｃ方向に所定以上の力が作用すると、基端部６３に支持されつつ、上側部材６１及びウォームスクリュウ５の基端側は基端部６３に支持されつつ、その先端側がＣ方向に揺動されることになる。本実施の形態では、かかる特性を利用して、ウォームスクリュウ５の締付トルクの管理を行うようになっている。
【００３６】
具体的には、ウォームスクリュウ５を締め付け方向Ａ（図１参照）に回転していくと、ウォームスクリュウ５のねじ山５ｓが、これと噛合（螺合）するギア溝４を螺進せしめ、ストラップバンド３が縮径変位を受けてホース部材２を締め付けていくが、その締付力に応じて、ウォームスクリュウ５のねじ山５ｓに対して反力が生じる。
【００３７】
この反力は、ねじ山５ｓの斜面が傾斜していることから、前記Ｃ方向に沿った成分を持つため、ウォームスクリュウ５のねじ山５ｓに対して所定以上の反力が生じると、基端部６３の持つ弾性力に抗して、上側部材６１及びウォームスクリュウ５は、基端部６３に支持されつつ、その先端側がＣ方向に揺動されることになる。
【００３８】
かかるＣ方向への揺動が起きると、ウォームスクリュウ５のねじ山５ｓと、ギア溝４と、の係合（噛合或いは螺合）が一瞬解けるが、その後は、基端部６３が、バネ鋼等の弾性体で構成されているため元の位置（Ｃ方向とは逆向き）に復元しようとするため、基端部６３に支持されている上側部材６１及びウォームスクリュウ５の先端側はＣ方向と逆方向に復帰されることになる。
【００３９】
この復帰の際に、ウォームスクリュウ５のねじ山５ｓと、若干Ｂ方向と逆向きに戻されたストラップバンド３のギア溝４と、が噛合（螺合）することになるため、ウォームスクリュウ５をそれ以上締め付け方向Ａに回転させても、再び上記動作（噛合解放→復帰）を繰り返すことになるため、ギア溝４はある一定以上螺進されることなく、延いてはストラップバンド３の他端部３Ｂを矢印Ｂ方向に引っ張ることがないため、ストラップバンド３は目標の締付力でホース部材２を締め付けることができることになる。
【００４０】
すなわち、本実施の形態に係るストラップバンドクランプ装置１によれば、ウォームスクリュウ５を締め付け方向に回転させ、ストラップバンド３が目標の締付力となったときには、ウォームスクリュウ５を締め付け方向に回転させることによってストラップバンド３をそれ以上締め付けることができなくなるため、トルクレンチ等のトルク管理工具により前記ウォームスクリュウ５の締付トルクを管理しなくても、ストラップバンド３を目標の締付力で締め付けることが可能となる。
【００４１】
以上説明したように、本実施の形態に係るストラップバンドクランプ装置１は、ウォームスクリュウ５を、ハウジング６の基端部６３に支持させ、ストラップバンド３が目標の締付力となったときには、ハウジング６の基端部６３を弾性変形（曲げ変形）させることで、ウォームスクリュウ５の先端側をギア溝４から離間させる方向に揺動させる構成としたので、ストラップバンド３が目標の締付力となったときには、ウォームスクリュウ５のねじ山５ｓと、ギア溝４と、の噛合が一旦解かれるが、その後直ちに前記変形が復元されてウォームスクリュウ５のねじ山５ｓと、ギア溝４と、が噛合されるため、ストラップバンド３を目標の締付力より大きな力で締め付けることを防止しつつ、目標の締付力を維持することができ、以ってトルクレンチ等のトルク管理工具によりウォームスクリュウ５の締付トルクを管理しなくても、ストラップバンド３を目標の締付力で締め付けることができることになる。
【００４２】
なお、本実施の形態では、ハウジング６の基端部６３の曲げ変形を復帰させる際の復元力（弾性力）を、ハウジング６の基端部６３自身に持たせる構成を一例として説明したが、これに限定されるものではなく、別に設けた板バネ、コイルスプリング等によりハウジング６の基端部６３の曲げ変形を復帰させる復元力（弾性力）を付与する構成とすることもできる。
【００４３】
また、本実施の形態においては、ハウジング６を備えて構成したが、これに限定されるものではなく、ウォームスクリュウ５を回転自在に支持可能であれば、ハウジング形状でなくウォームスクリュウ５が外部に露出された支持部とすることができる。
【００４４】
以上で説明した一実施の形態は、本発明を説明するための例示に過ぎず、本発明の要旨を逸脱しない範囲内において、種々変更を加え得ることは可能である。
【図面の簡単な説明】
【００４５】
【図１】本発明の一実施の形態に係るストラップバンドクランプ装置の全体構成を示した斜視図である。
【図２】同上実施の形態に係るストラップバンドクランプ装置のハウジング６付近の断面図である。
【図３】同上実施の形態に係るストラップバンドクランプ装置をウォームスクリュウの軸方向に沿って断面を取った断面図である。
【符号の説明】
【００４６】
１      ストラップバンドクランプ装置
２      ホース部材
３      ストラップバンド
４      ラック（ギア溝）
５      ウォームスクリュウ
５ｓ    ねじ山
６      ハウジング
６１    上側部材
６２    下側部材
６３    基端部
１０    スリット
【図１】
2010121647.tif 000003
【図２】
2010121647.tif 000004
【図３】
2010121647.tif 000005